(57)【要約】【課題】本発明は透光性パネルに結露が発生することを確実に防止しつつ、低消費電力化させることができる、シースルー型の自動販売機を提供することを目的とする。【解決手段】本発明の自動販売機は、商品を外部から視認することができるシースルー型の自動販売機であって、商品を低温状態で収納する商品収納庫と、前記商品収納庫の庫内温度を一定に保つ冷却装置と、前記商品収納庫を開閉自在とし、透光性を有する透光性パネルが嵌め込まれた収納扉と、前記透光性パネルを加熱するヒータ８と、前記ヒータ８の出力を多段階の可変状態で制御する制御部３０とを備えたことを特徴とする。上記構成によれば、透光性パネルに結露が発生することを確実に防止しつつ、低消費電力化させることができる。【選択図】図４
2014194678.tif 000002
【特許請求の範囲】
【請求項１】
内部に収納されている商品を外部から視認することができる自動販売機であって、
商品を低温状態で収納する商品収納庫と、
前記商品収納庫の庫内温度を一定に保つ冷却装置と、
前記商品収納庫を開閉自在とし、透光性を有する透光性パネルが嵌め込まれた収納扉と、
前記透光性パネルを加熱するヒータと、
前記ヒータの出力を多段階の可変状態で制御する制御部とを備えた
ことを特徴とする自動販売機。
【請求項２】
前記制御部は、外気温に応じて前記ヒータの出力を制御する
ことを特徴とする請求項１に記載の自動販売機。
【請求項３】
前記制御部は、前記冷却装置に設けられた庫外ファンの出力に応じて、前記ヒータの出力を制御する
ことを特徴とする請求項１に記載の自動販売機。
【請求項４】
前記制御部は、当該自動販売機の電源オン直後及び前記収納扉の開閉時の少なくとも何れかの時に前記ヒータの出力を増加させる
ことを特徴とする請求項１〜３の何れか１項に記載の自動販売機。
【請求項５】
前記商品収納庫の内部を照らす照明装置をさらに備え、
前記照明装置は、前記ヒータと共通の電源基板および駆動基板が接続され、
前記制御部は、前記ヒータの出力に応じて前記照明装置の出力を制御する
ことを特徴とする請求項１〜４の何れか１項に記載の自動販売機。
【請求項６】
前記制御部は、電力供給のパルス幅を制御することによって、前記ヒータの出力を制御する
ことを特徴とする請求項１〜５の何れか１項に記載の自動販売機。
【発明の詳細な説明】
【技術分野】
【０００１】
本発明は内部に収納されている商品を外部から視認できる、いわゆるシースルー型の自動販売機に関する。
【背景技術】
【０００２】
内部に収納されている商品を外部から視認できる自動販売機は、既に知られている。この種の自動販売機はシースルー型の自動販売機と呼ばれており、商品を収納する商品収納庫は、ガラス等の透光性を有する透光性パネルが嵌めこまれた収納扉によって開閉自在とされている。
【０００３】
このような、いわゆるシースルー型の自動販売機においては、商品が飲料である場合など、商品収納庫内が低温状態で維持されるものがある。商品収納庫内が低温で維持される場合、商品収納庫の庫内温度と外気温との温度差によって、透光性パネルに結露が発生し、内部の商品が外部から見え難くなってしまうことがある。そのため、シースルー型の自動販売機は、一般的に結露防止用のヒータを備えており、このヒータが透光性パネルを加熱することによって結露の発生を防止している。
【０００４】
従来、結露防止用のヒータは一定の電圧で常時通電されており、そのため、消費電力が大きいという問題点があった。また、ヒータの遮断は手動操作で行っていたため、手間がかかっていた。この問題に対処するものとして、特許文献１、２では結露防止用のヒータを自動制御により遮断する自動販売機が開示されている。
【０００５】
特許文献１の自動販売機では、図８に示すように、商品収納庫の庫内を照らす蛍光灯４０について、蛍光灯自動点滅装置４１と蛍光灯節電タイマー装置４２との情報を基に、リレースイッチＲ１を切替えて、蛍光灯４０の点灯・消灯を自動制御している。さらに、リレースイッチＲ１がオフの時、すなわち蛍光灯４０が消灯している時は、リレースイッチＲ２をオンとしてヒータ４３を通電させ、リレースイッチＲ１がオンの時、すなわち蛍光灯４０が点灯している時は、リレースイッチＲ２をオフとしてヒータ４３を遮断するようにしている。なお、ヒータ４３の遮断時は、蛍光灯４０の熱によって結露の発生を防止するよう図っている。このようにして、特許文献１の自動販売機では、結露防止用のヒータが常時通電されている場合と比較して、低消費電力化できるよう構成されている。
【０００６】
また、特許文献２には、図９に示すように、収納扉の透光性パネルがペアガラス５０で形成され、庫外側ガラス５１の内側面をシート状ヒータ５２で被覆し、外気温と商品収納庫の庫内温度との差が所定値以下になるとシート状ヒータ５２を遮断する自動販売機が開示されている。この自動販売機では、外気温と商品収納庫の庫内温度との差が大きい時は、ペアガラス５０に結露が発生しやすくなるため、ヒータ５２を通電させ、温度差が小さい時は結露が発生しにくいため、ヒータ５２を遮断するよう制御されている。これにより常時通電の場合よりも低消費電力化できるよう構成されている。
【先行技術文献】
【特許文献】
【０００７】
【特許文献１】特開平１１−８６１１３号公報
【特許文献２】特開平１１−７３５５２号公報
【発明の概要】
【発明が解決しようとする課題】
【０００８】
しかしながら、特許文献１に係る自動販売機では、蛍光灯４０を点灯している時は、自動制御によって結露防止用のヒータ４３を完全に遮断するために、確実に結露の発生を防止することは困難である。つまり、蛍光灯４０が点灯している時はヒータ４３を遮断して蛍光灯４０の熱のみで結露を防止するよう図っているが、蛍光灯４０の熱だけでは結露の発生を確実に防止することはできないという課題が生じてしまう。
【０００９】
また、特許文献２に係る自動販売機では、商品収納庫の庫内温度と外気温との温度差に応じてヒータへの通電を自動制御しているが、外気温と商品収納庫の庫内温度との差が小さいと、やはりヒータを完全に遮断してしまうため、結露の発生を確実に防止することはできないという課題が生じてしまう。
【００１０】
本発明は、上記課題を解決するもので、透光性パネルに結露が発生することを確実に防止しつつ、低消費電力化させることができる、シースルー型の自動販売機を提供することを目的とする。
【課題を解決するための手段】
【００１１】
上記課題を解決するために、本発明の自動販売機は、内部に収納されている商品を外部から視認することができる自動販売機であって、商品を低温状態で収納する商品収納庫と、前記商品収納庫の庫内温度を一定に保つ冷却装置と、前記商品収納庫を開閉自在とし、透光性を有する透光性パネルが嵌め込まれた収納扉と、前記透光性パネルを加熱するヒータと、前記ヒータの出力を多段階の可変状態で制御する制御部とを備えたことを特徴とする。
【００１２】
また、本発明の自動販売機は、前記制御部が、外気温に応じて前記ヒータの出力を制御することを特徴とする。
【００１３】
また、本発明の自動販売機は、前記制御部が、前記冷却装置に設けられた庫外ファンの出力に応じて、前記ヒータの出力を制御することを特徴とする。
【００１４】
また、本発明の自動販売機は、前記制御部が、当該自動販売機の電源オン直後及び前記収納扉の開閉時の少なくとも何れかの時に前記ヒータの出力を増加させることを特徴とする。
【００１５】
また、本発明の自動販売機は、前記商品収納庫の内部を照らす照明装置をさらに備え、前記照明装置は、前記ヒータと共通の電源基板および駆動基板が接続され、前記制御部は、前記ヒータの出力に応じて前記照明装置の出力を制御することを特徴とする。
【００１６】
また、本発明の自動販売機は、前記制御部が、電力供給のパルス幅を制御（ＰＷＭ制御）することによって、前記ヒータの出力を制御することを特徴とする。
【発明の効果】
【００１７】
本発明によれば、制御部がヒータを完全には遮断せず、ヒータの出力を多段階の可変状態で制御するため、結露の発生を確実に防止しつつ、低消費電力化させることができる。すなわち、制御部は、透光性パネルに結露が発生しやすい場合はヒータの出力を増加させて結露の発生を確実に防止し、結露が発生しにくい場合はヒータの出力を減少させて低消費電力化させることができる。
【００１８】
また、制御部が外気温に応じてヒータの出力を制御することで、より確実に結露の発生を防止することができる。すなわち、外気温が高い場合は商品収納庫の庫内温度と外気温との差が大きくなるため、透光性パネルに結露が発生しやすくなるが、その場合、制御部はヒータの出力を増加して結露の発生を防止することができる。
【００１９】
また、制御部が庫外ファンの出力に応じてヒータの出力を制御することで、上記と同様に、より確実に結露の発生を防止することができる。庫外ファンは、商品収納庫の庫内温度を一定に保つ冷却装置の一つであるため、外気温が高い場合はその出力を増加させて、庫内温度を一定温度に保とうとする。よって、制御部が庫外ファンの出力に応じてヒータの出力を制御する場合、外気温に応じてヒータの出力を制御する場合と同様の効果が得られる。さらに、制御部が庫外ファンとヒータにおける外気温の判定をまとめて行うため、制御部による温度判定を簡単化させることができる。
【００２０】
また、制御部が自動販売機の電源オン直後及び収納扉の開閉時の少なくとも何れかの時にヒータの出力を増加させることによっても、結露防止の確実性が増す。なぜなら、自動販売機の電源オン直後は庫内温度と外気温とが等しく、その後急激に庫内が冷却されるため、結露が発生しやすくなる。また、収納扉開閉時は収納扉の開放によって庫内温度が上昇し、閉鎖後は急激に庫内温度が下がるため、結露が発生しやすくなる。このような場合に、制御部がヒータの出力を増加させれば、結露防止の確実性が増す。
【００２１】
また、照明装置はヒータと共通の電源基板及び駆動基板が接続されており、制御部はヒータの出力に応じて照明装置の出力を制御することにより、電源基板の供給可能電力の範囲内で制御しつつ、自動販売機の全体としての消費電力を小さくすることができる。
【００２２】
また、ヒータ出力を可変とする技術として、電圧制御やパルス幅変調制御（ＰＷＭ制御）、周波数制御などを採用することが考えられる。ＰＷＭ制御に用いられるＰＷＭ回路は簡易で低コストであるためＰＷＭ制御を採用することが望ましい。
【図面の簡単な説明】
【００２３】
【図１】本発明の実施の形態１および２に係る自動販売機の正面図である。
【図２】同自動販売機の簡略的な側面断面図である。
【図３】本発明の実施の形態１および２に係るペアガラスを示す正面図（ａ）、平面断面図（ｂ）、側面断面図（ｃ）である。
【図４】本発明の実施の形態１に係る自動販売機のブロック図である。
【図５】本発明の実施の形態１および２に係るヒータの出力状態を示す図である。
【図６】本発明の実施の形態２に係る自動販売機のブロック図である。
【図７】本発明の実施の形態２において、庫外ファン及び圧縮機の出力とヒータの出力との関係を示す図である。
【図８】従来の自動販売機のヒータおよび蛍光灯の制御装置の電気回路図である。
【図９】従来の自動販売機の収納扉のペアガラスを示す断面図である。
【発明を実施するための形態】
【００２４】
以下、本発明の実施の形態に係る自動販売機を図面を参照しながら説明する。なお、ここで示す実施の形態はあくまでも一例であって、必ずしもこの実施の形態に限定されるものではない。
【００２５】
（実施の形態１）
図１、図２に示すように、本発明の自動販売機１には、自動販売機１の前面を開閉自在とする前面扉２（いわゆる外扉）と、自動販売機１の内部の断熱空間を形成する商品収納庫３を開閉自在とする収納扉４（いわゆる内扉）とが取り付けられている。この前面扉２と収納扉４の上部から中央部にかけて、透明な樹脂やガラスなどからなり、透光性を有するパネル（以下、透光性パネルと称す）が嵌め込まれており、利用者は、これらの透光性パネルを通して商品収納庫３に収納された商品Ｓを視認できるように構成されている。この実施の形態では、収納扉４には、間隔をあけて前後２枚のガラスパネル、いわゆるペアガラス５が透光性パネルとして嵌めこまれている。
【００２６】
ペアガラス５は、図３に示すように、庫外側ガラス５ａと庫内側ガラス５ｂとを有しており、庫外側ガラス５ａと庫内側ガラス５ｂは、それぞれの端部近傍に位置するスペーサ６によって略平行に配設され、スペーサ６よりも端側にある封止剤７によって互いに接着されている。また、自動販売機１には、このペアガラス５に結露が発生することを防止するヒータ８が備えられている。
【００２７】
ヒータ８は透明導電膜８ａとバスバー電極８ｂとリード線８ｃと半田８ｄとで形成されている。透明導電膜８ａはペアガラス５の庫外側ガラス５ａの内側面の略全面に塗布されており、透明導電膜８ａの上に形成されたバスバー電極８ｂとリード線８ｃとが半田８ｄで接続されている。バスバー電極８ｂは、庫外側ガラス５ａの各長辺に沿って２つ形成されており、バスバー電極８ｂに電圧が印加されると、透明導電膜８ａに電流が流れる。そして、庫外側ガラス５ａの内側面は、透明導電膜８ａを流れる電流から生じる抵抗熱によって均一に加熱される。このようにして、ヒータ８はペアガラス５を加熱する。
【００２８】
また、図１及び図２における１１、１２は前面扉２に設けられている商品取出口および商品取出口を開閉する取出口扉であり、１３は商品の識別番号を入力するテンキーなどが設けられている操作部、１４は投入金額および商品選択時に選択した商品の識別番号等を表示する表示部、１５は商品収納庫３の庫内を照らす、ＬＥＤ照明などからなる照明装置である。また、前面扉２の裏面にはキーボード１６が配設されており、キーボード１６の操作により、自動販売機１の各種設定を行うことができる。
【００２９】
商品収納庫３内には、商品Ｓを前後一列に収納する収納コラム１７が、上下段、左右列に並べられている。収納コラム１７の前部には商品ストッパ１８が設けられており、商品Ｓが前方へ落下することを防止している。また、収納コラム１７の前方（手前側）にバケットユニット１９を搭載したＸ（左右）−Ｙ（上下）搬送機構（図示せず）が配備されており、バケットユニット１９は、Ｘ−Ｙ搬送機構によってＸ−Ｙ方向（図１参照）に移動することができる。販売指示があった際は、バケットユニット１９が販売商品が収納された収納コラム１７の前方に移動し、商品ストッパ１８が開放されて、商品Ｓが収納コラム１７からバケットユニット１９へと払い出される。そして、バケットユニット１９が商品Ｓを前面扉２に設けられた商品取出口１１に搬出する構造としている。
【００３０】
また、商品収納庫３の内部（庫内）の下部には蒸発器２１が設けられており、商品収納庫３の庫外９に設けられた圧縮機２２および凝縮器２３と、さらに図示しない膨張器などで、商品収納庫３の内部を一定温度に保つ冷却装置を構成している。また、蒸発器２１は庫内ファン２１ａを備え、凝縮器２３には庫外ファン２３ａ及び庫外温度を検知する温度センサ２３ｂを備えており、制御部３０は温度センサ２３ｂの温度に応じて、庫外ファン２３ａの出力を可変制御している。
【００３１】
図４は本実施の形態に係る自動販売機のブロック図である。図４に示すように、温度センサ２３ｂにより測定された温度情報が制御部３０に伝達され、制御部３０はその温度情報をもとにＰＷＭ回路３１でパルス幅を変調して、駆動基板３２にヒータ８を駆動するように命令する。駆動基板３２はこの命令に従って、電源基板３３から供給される電圧（ＤＣ２４Ｖ）をヒータ８に印加する。また、温度センサ２３ｂは庫外９に設けられているため、外気温と略等しい温度情報を制御部３０に伝達する。このようにして、制御部３０は外気温に基づいてヒータ８の出力電力を可変制御するよう構成されている。
【００３２】
なお、他にヒータ８への出力電力を可変制御する技術として、電圧制御や周波数制御を採用することが考えられる。これらの可変制御の技術に対して、ＰＷＭ制御に用いられるＰＷＭ回路は簡易で低コストであるためＰＷＭ制御を採用することが望ましい。
【００３３】
具体的には、温度センサ２３ｂの測定温度が３０℃以上になると、制御部３０はデューティ比８０％でヒータ８を駆動するように駆動基板３２に命令し、３０℃未満になると、デューティ比４０％でヒータ８を駆動するように駆動基板３２に命令する。ここでデューティ比とは、図５に示すように、パルス幅をパルス周期で割った数値をいう。本実施の形態では、パルス周期は６ミリ秒で一定としており、デューティ比を可変とすることで、パルス幅を可変制御することとしている。
【００３４】
なお、本実施の形態では、測定温度が３０℃以上になるとヒータ８のデューティ比を４０％から８０％にすることを述べたが、これに限らず、これらの数値は任意に設定することができる。
【００３５】
また、本実施の形態に係る自動販売機１は、制御部３０に接続されたキーボード１６の操作によって、ヒータ８のデューディ比を０％〜１００％の範囲で設定できるように構成されている。この構成により、湿度が非常に高い環境であるなど、外気温が３０℃未満であっても結露が発生する場合であっても、キーボード１６の操作によって容易に結露発生の対処をすることが可能である。
【００３６】
また、駆動基板３２は、ヒータ８だけでなく照明装置１５とも接続されており、照明装置１５はヒータ８と共通の電源基板３３で電力供給される。そのため、ヒータ８のデューティ比を上げると、ヒータ８と照明装置１５との出力電力の和が、電源基板３３の供給可能電力を上回ってしまうおそれがある。
【００３７】
そこで、ヒータ８のデューティ比が上がった際に、照明装置１５のデューティ比を下げることで、ヒータ８と照明装置１５の出力電力の和が電源基板３３の供給可能電力の範囲内に収まるように構成している。
【００３８】
ヒータ８と照明装置１５とで共通の駆動基板３２が接続されているため、制御部３０は、容易にヒータ８の出力電力に応じて照明装置１５の出力電力を制御することができる。この場合、照明装置１５の出力電力を一定にした場合と比較して、自動販売機１の全体としての消費電力は小さくなる。
【００３９】
具体的には、ヒータ８のデューティ比が９０％以上になると、制御部３０は照明装置１５のデューティ比を１００％から４０％に下げるようにしているが、これに限らず、電源基板３３の供給可能電力の範囲内に収まる条件を満たせば、上記数値は任意に設定可能である。
【００４０】
本実施の形態の構成により、制御部３０は、ヒータ８を完全には遮断せず、ヒータ８の出力を多段階の可変状態で制御するため、結露の発生を確実に防止しつつ、低消費電力化させることができる。すなわち、制御部３０は、ペアガラス５に結露が発生しやすい場合はヒータ８の出力電力を増加させて結露の発生を確実に防止し、結露が発生しにくい場合はヒータ８の出力電力を減少させて低消費電力化させることができる。
【００４１】
さらに、制御部３０が温度センサ２３ｂの測定温度に応じてヒータ８の出力を制御することで、より確実に結露の発生を防止することができる。すなわち、外気温が高い場合は商品収納庫３の庫内温度と外気温との差が大きくなるため、ペアガラス５に結露が発生しやすくなるが、その場合に制御部３０がヒータ８の出力を増加することで、結露の発生を防止することができる。
【００４２】
また、自動販売機１の電源をオンにした直後は、ヒータ８のデューティ比を上げ、または、収納扉２の開閉状態を検知する開閉検出装置（図示せず）をさらに設けてもよく、その開閉検出装置と制御部３０とを接続して、収納扉２を閉鎖したことを開閉検出装置が検知すると、ヒータ８のデューティ比を上げてもよい。
【００４３】
この構成により、結露防止の確実性が増す。なぜなら、自動販売機１の電源をオンした直後は商品収納庫３の庫内温度と外気温とが等しく、その後急激に庫内が冷却されるため結露が発生しやすい。また、収納扉２の開閉時は収納扉２の開放によって庫内温度が上昇し、閉鎖後は急激に庫内温度が下がるため結露が発生しやすい。このような場合に、ヒータ８の出力を増加させれば、結露防止の確実性が増す。
【００４４】
具体的には、自動販売機１の電源をオンすると、制御部３０はヒータ８のデューティ比を強制的に８０％とし、１０分経過後は外気温に応じてヒータ８のデューティ比を可変制御するように構成されており、また、収納扉２が閉鎖されたことを開閉検出装置が検知すると、制御部３０はヒータ８のデューティ比を８０％とし、閉鎖から１０分経過後は外気温に応じてヒータ８のデューティ比を可変制御するように構成されている。
【００４５】
なお、ヒータ８と照明装置１５とで、共通の電源基板３３及び駆動基板３２が接続されていることを述べたが、照明装置１５だけに限られるものではなく、例えばヒータ８と庫内ファン２１ａとで、共通の電源基板３３及び駆動基板３２が接続されて、ヒータ８のデューティ比が上がった際に、制御部３０が庫内ファン２１ａのデューティ比を下げるように構成しても同様の効果が得られる。
【００４６】
また、本実施の形態では凝縮器２３の温度センサ２３ｂの測定温度に基づいて、制御部３０がヒータ８の出力電力を可変制御する場合を述べたが、凝縮器２３の温度センサ２３ｂに限られず、例えば別途外気温センサを設けて、その測定温度に基づいてヒータ８の出力電力を可変制御しても良い。
【００４７】
（実施の形態２）
実施の形態１では、制御部３０が、外気温に基づいてヒータ８の出力電力を可変制御する場合を述べたが、実施の形態２では、凝縮器２３の庫外ファン２３ａの出力に基づいてヒータ８の出力電力を可変制御する場合を述べる。それ以外の構成については、実施の形態１と同様であるため省略する。
【００４８】
本実施の形態では、図６に示すように、制御部３０にキーボード１６、温度センサ２３ｂ、ＰＷＭ回路３１が接続されており、ＰＷＭ回路３１は庫外ファン２３ａおよび駆動基板３２が接続されている。すなわち、庫外ファン２３ａおよび駆動基板３２は制御部３０によって、ＰＷＭ制御されている。
【００４９】
外気温が高ければ、商品収納庫３の庫内温度を一定に保つために、より大きな冷却能力が必要である。よって、制御部３０は、高外気温と判定すると庫外ファン２３ａの出力を増加して、凝縮器２３としての冷却能力を向上させるように構成されている。また、温度センサ２３ｂは、商品収納庫３の庫外９に設けられているため、外気温と略等しい温度を測定する。そして、制御部３０はこの測定温度に基づいて庫外ファン２３ａのデューティ比を可変制御し、この庫外ファン２３ａのデューディ比に応じてヒータ８のデューティ比を可変制御する。
【００５０】
具体的には、図７に示すように、制御部３０は、高外気温と判定した場合、庫外ファン２３ａのデューティ比を一旦２０％とし、その後６０％に上げる。庫外ファン２３ａのデューティ比が６０％に上がる際に、ヒータ８のデューティ比は８０％となる。庫内温度が十分に冷却されると庫外ファン２３ａはオフされるが、ヒータ８のデューティ比は８０％を維持する。
【００５１】
一方、制御部３０は、低外気温と判定した場合、庫外ファン２３ａのデューティ比を２０％とし、その後６０％に上げることはなく、庫内温度が十分に冷却されると庫外ファン２３ａをオフする。庫外ファン２３ａがオフされる際に、ヒータ８のデューティ比が４０％となるように構成されている。
【００５２】
つまり、制御部３０は、庫外ファン２３ａのデューティ比が２０％から６０％に上がる際にヒータ８のデューティ比を８０％とし、庫外ファン２３ａのデューティ比が２０％からオフされる際にヒータ８のデューティ比を４０％とし、それ以外の場合はその時のヒータ８のデューティ比を維持する。
【００５３】
なお、庫外ファン２３ａは圧縮機２２がオンされている時はオン状態となり、圧縮機２２がオフされているときはオフ状態となる。そして、制御部３０は、圧縮機２２がオン状態の時のみ外気温の判定を行うように構成されている。本実施の形態では、制御部３０は、温度センサ２３ｂの測定温度が３０℃以上の場合は高外気温と判定し、３０℃未満の場合は低外気温と判定するよう構成されている。
【００５４】
実施の形態２の構成によれば、実施の形態１と同様に、低消費電力化しつつ、結露の発生を確実に防止することができる。庫外ファン２３ａは、商品収納庫３の庫内温度を一定に保つための冷却装置の一つであるため、外気温が高い場合はその出力を増加させて庫内温度を一定温度に保とうとする。よって、制御部３０が庫外ファン２３ａの出力に応じてヒータ８の出力を制御する場合、外気温に応じてヒータ８の出力を制御した場合と同様の効果が得られる。さらに、実施の形態２では、制御部３０は庫外ファン２３ａとヒータ８における外気温の判定をまとめて行うため、制御部３０による温度判定を簡単化させることができる。
【符号の説明】
【００５５】
１      自動販売機
２      前面扉（外扉）
３      商品収納庫
４      収納扉（内扉）
５      ペアガラス
８      ヒータ
１５    照明装置
１６    キーボード
２１    蒸発器
２１ａ  庫内ファン
２３    凝縮器
２３ａ  庫外ファン
２３ｂ  温度センサ
３０    制御部
３１    ＰＷＭ回路
３２    駆動基板
３３    電源基板
【図１】
2014194678.tif 000003
【図２】
2014194678.tif 000004
【図３】
2014194678.tif 000005
【図４】
2014194678.tif 000006
【図５】
2014194678.tif 000007
【図６】
2014194678.tif 000008
【図７】
2014194678.tif 000009
【図８】
2014194678.tif 000010
【図９】
2014194678.tif 000011